(57)【特許請求の範囲】
【請求項１】
筐体に設けられた洗浄槽と、前記洗浄槽に設けたポンプ等の加圧装置と、前記加圧装置により加圧された水を噴射するノズルと、前記洗浄槽の底部に設けた残滓を取り除くフィルタと、前記洗浄槽に給水する給水弁と、前記洗浄槽に供給された水を加熱するヒータと、磁性体で構成された食器洗浄用の粉体を前記洗浄槽に供給する粉体供給装置と、前記洗浄槽の底部に設けた磁石装置と、前記洗浄槽に対して移動可能に設けた永久磁石とを備え、前記磁石装置は、磁石ローラと磁石でないローラに掛けられた非金属のベルトと、前記磁石ローラと磁石でないローラを駆動する駆動装置を有し、前記永久磁石は、前記洗浄槽から外れた位置に移動させて前記粉体を吸着しない状態と、前記洗浄槽側へ移動させて前記粉体を吸着する状態とに切換え可能に設け、洗浄時は、前記永久磁石を前記洗浄槽から外れた位置に固定し、前記ノズルから噴射され前記磁石装置に流れてきた粉体は、前記磁石ローラに吸引され前記ベルトにより前記磁石でないローラの位置まで運ばれて来たときに前記ベルトから外れ、前記フィルタの裏面を通り、前記フィルタを通らずに前記加圧装置に導かれるようにして循環し、すすぎ時は、前記永久磁石を前記洗浄槽側へ移動させ、前記磁石装置に流れてきた粉体が磁石でないローラの位置まで運ばれて来たとき、前記永久磁石により粉体が吸引され前記ベルトから離れて前記洗浄槽側に吸着させるようにした食器洗浄機。
【発明の詳細な説明】
【０００１】
【発明の属する技術分野】
本発明は、汚れた食器や、フライパン等の調理具を、洗浄する食器洗浄機に関するものである。
【０００２】
【従来の技術】
従来使用されている食器洗浄機は、洗剤を溶かしたお湯を、ポンプにより加圧して食器や、調理具に噴射することにより汚れを洗浄する方式であった。
【０００３】
【発明が解決しようとする課題】
ところが前記従来の食器洗浄機は、お湯をポンプで加圧して、食器や、調理具に噴射するだけの衝突エネルギーでは、食器や、調理具に付着した汚れを十分に除去できないため、多量の洗剤を入れ、洗剤の力を借りて洗浄を行っていた。
【０００４】
そのため、排出される洗剤により、排水が汚染されると言う課題が有った。本発明はこの様な従来の食器洗浄機が抱えている課題を解決しようとするものである。
【０００５】
【課題を解決するための手段】
本発明は前記する課題を解決するために、磁性体で構成された食器洗浄用の粉体を前記洗浄槽に供給する粉体供給装置と、前記洗浄槽の底部に設けた磁石装置と、前記洗浄槽に対して移動可能に設けた永久磁石とを備え、前記磁石装置は、磁石ローラと磁石でないローラに掛けられた非金属のベルトと、前記磁石ローラと磁石でないローラを駆動する駆動装置を有し、前記永久磁石は、前記洗浄槽から外れた位置に移動させて前記粉体を吸着しない状態と、前記洗浄槽側へ移動させて前記粉体を吸着する状態とに切換え可能に設け、洗浄時は、前記永久磁石を前記洗浄槽から外れた位置に固定し、前記ノズルから噴射され前記磁石装置に流れてきた粉体は、前記磁石ローラに吸引され前記ベルトにより前記磁石でないローラの位置まで運ばれて来たときに前記ベルトから外れ、前記フィルタの裏面を通り、前記フィルタを通らずに前記加圧装置に導かれるようにして循環し、すすぎ時は、前記永久磁石を前記洗浄槽側へ移動させ、前記磁石装置に流れてきた粉体が磁石でないローラの位置まで運ばれて来たとき、前記永久磁石により粉体が吸引され前記ベルトから離れて前記洗浄槽側に吸着させるようにしたものである。これにより、大きな衝突エネルギーを得ることが出来るため、洗剤は全く必要としないかあるいは必要としても、極めて少量でよく、環境の負荷を低減できるものである。
【０００６】
【発明の実施の形態】
本発明の請求項１に記載した発明は、筐体に設けられた洗浄槽と、前記洗浄槽に設けたポンプ等の加圧装置と、前記加圧装置により加圧された水を噴射するノズルと、前記洗浄槽の底部に設けた残滓を取り除くフィルタと、前記洗浄槽に給水する給水弁と、前記洗浄槽に供給された水を加熱するヒータと、磁性体で構成された食器洗浄用の粉体を前記洗浄槽に供給する粉体供給装置と、前記洗浄槽の底部に設けた磁石装置と、前記洗浄槽に対して移動可能に設けた永久磁石とを備え、前記磁石装置は、磁石ローラと磁石でないローラに掛けられた非金属のベルトと、前記磁石ローラと磁石でないローラを駆動する駆動装置を有し、前記永久磁石は、前記洗浄槽から外れた位置に移動させて前記粉体を吸着しない状態と、前記洗浄槽側へ移動させて前記粉体を吸着する状態とに切換え可能に設け、洗浄時は、前記永久磁石を前記洗浄槽から外れた位置に固定し、前記ノズルから噴射され前記磁石装置に流れてきた粉体は、前記磁石ローラに吸引され前記ベルトにより前記磁石でないローラの位置まで運ばれて来たときに前記ベルトから外れ、前記フィルタの裏面を通り、前記フィルタを通らずに前記加圧装置に導かれるようにして循環し、すすぎ時は、前記永久磁石を前記洗浄槽側へ移動させ、前記磁石装置に流れてきた粉体が磁石でないローラの位置まで運ばれて来たとき、前記永久磁石により粉体が吸引され前記ベルトから離れて前記洗浄槽側に吸着させるようにしたものであり、大きな衝突エネルギーを得ることができるとともに、簡単な構成で、洗剤の必要もなく食器、調理具の洗浄ができるとともに、粉体は繰り返し使用できる。また、粉体の無いきれいなお湯ですすぎを行うことができる。
【０００７】
【実施例】
（実施例１）
以下本発明の実施例１における食器洗浄機を図１に基づき説明する。図１において、１は、筐体２に設けられた洗浄槽であり、洗浄槽１には複数個のノズル３が設けられている。そして、ノズル３には、貯留装置４に溜められた粒子が、加圧装置５を介して配管６により供給される。７は洗浄されるべき食器、フライパン等の調理具を示す。８は粉体と汚れを受ける受け皿、９は粉体の貯留装置４の蓋である。
【０００８】
以下本実施例の動作について説明する。手、または食器や、調理具７が洗浄槽１に入れられたことを検知して、加圧装置５が駆動され、外部から吸引した空気を加圧して、配管６を介してノズル３から食器や、調理具７に吹きつける。その時、加圧空気により吸引される形で、貯留装置４に溜められた粉体が加圧空気とともにノズル３から食器や、調理具７に吹き付けられ、油等の汚れは剥離、除去され、受け皿８に溜められる。従って水を一切使用しないため移動、設置場所の制約がなく、しかも強烈に汚れを除去することができるものである。
【０００９】
（実施例２）
次に本発明の実施例２における食器洗浄機を図２に基づき説明する。１０は粉体の貯留装置４から、加圧装置５に粉体を供給したりその供給を停止したりする切り替え装置であり、その他の構成は上記実施例１における食器洗浄機と同様である。
【００１０】
図２に示すように、食器や、調理具等の汚れを除去した後、切り替え装置１０によって粉体の供給を停止することにより、食器や、調理具に付着した粉体を、加圧空気の力できれいに除去出来るものである。
【００１１】
（実施例３）
次に本発明の実施例３における食器洗浄機を図２に基づき説明する。１１は、加圧装置５からの加圧空気を加熱するための加熱装置であり、その他の構成は上記実施例１における食器洗浄機と同様である。
【００１２】
図２に示すように、食器や、調理具等の汚れを除去した後、切り替え装置１０により粉体の供給を停止し、食器や、調理具に付着した粉体をきれいに除去するとともに、加熱装置１１による加熱空気により滅菌、乾燥を行うものである。
【００１３】
（実施例４）
次に本発明の実施例４における食器洗浄機について説明する。構成は上記実施例１、２、３の粉体貯留装置４を、粉体をドライアイスのような時間とともに自己昇華する物質を発生する発生装置とするもので、その他の構成は実施例１、２、３と同様である。
【００１４】
粉体をドライアイスのような時間とともに自己昇華する物質で構成することにより、衝突した粉体は自己昇華し、粉体の後処理を一切必要としないものである。
【００１５】
（実施例５）
次に本発明の実施例５における食器洗浄機について説明する。図３において、１２は氷のように時間とともに自己溶融する物質を発生する発生装置であり、１３は自己溶融する物質の溶融した状態の液体を排出する排出管であり、その他の構成は上記実施例１、２、３における食器洗浄機と同様である。
【００１６】
本実施例では粉体を氷のような時間とともに自己溶融する物質で構成することにより、粉体の衝突効果と、溶融した液体状物質の洗浄効果を同時に期待できるものである。
【００１７】
（実施例６）
次に本発明の実施例６における食器洗浄機について説明する。図４において、１４は水またはお湯を噴出するためのポンプ等の噴出装置であり、洗浄槽１内に設けられたノズル１５より噴出される。１６は粉体、水またはお湯を排出する排出管であり、その他の構成は上記実施例１における食器洗浄機と同様である。
【００１８】
本実施例では粉体で汚れを除去した後、水またはお湯で洗浄したり、汚れの種類により粉体、水、お湯を使い分けることができるものである。
【００１９】
（実施例７）
次に本発明の実施例７における食器洗浄機について説明する。図５において、１７は、筐体１８に設けられた洗浄槽であり、洗浄槽１７には、ポンプ等の加圧装置１９により加圧されて回転し水やお湯を噴射するノズル２０と、水を加熱するためのヒータ２１、食器や調理具２２に付着した残滓を取り除くフィルタ２３が洗浄槽１７の底部に設けられている。２４は粉体供給装置であり、必要な時、必要なタイミングで供給されるよう開閉弁２５が設けられている。２６は洗浄・排水切り替え弁、２７は給水弁である。
【００２０】
以下本実施例の動作について説明する。食器や、調理具２２を洗浄槽１７にセットし、スイッチ（図示せず）を入れると、給水弁２７が開き、洗浄槽１７に給水される。洗浄槽１７に給水されると、ヒータ２１とポンプ等の加圧装置１９に通電され、食器や、調理具２２にノズル２０よりお湯が噴射される。この時、粉体供給装置２４の開閉弁２５が開き、お湯とともに粉体がポンプ等の加圧装置１９によりノズル２０から食器、調理具２２に噴射され洗浄が行われる。洗浄が終わると、洗浄・排水切り替え弁２６が切り替わり、汚れた洗浄水は、ポンプ等の加圧装置１９により、粉体とともに排水される。
【００２１】
次に、すすぎ行程に入ると、再び給水弁２７が開き洗浄槽１７に給水され、洗浄時と同じように、ヒータ２１とポンプ等の加圧装置１９に通電され、食器や、調理具２２にノズル２０よりお湯が噴射され、すすぎが行われる。すすぎが終わると、洗浄・排水切り替え弁２６が切り替わり、すすぎ水がポンプ等の加圧装置１９により排水される。
【００２２】
この時、洗浄時に若干の洗剤が、粉体とともに含まれていても良く、更に洗浄効果を発揮するものである。
【００２３】
（実施例８）
次に本発明の実施例８における食器洗浄機について説明する。図６において、２８は洗浄槽１７の底部に設けられた磁石装置であり、磁石ローラ２９と磁石でないローラ３０の間に、非金属のベルト３１が掛けられている。３２は永久磁石であり、左右移動可能に設けられている。３３は、残滓を取り除くフィルタである。また、粉体は磁性体で構成されている。その他の構成は、上記実施例７における食器洗浄機と同様である。
【００２４】
以下本実施例の動作について実施例７と異なる点のみを説明する。まず、洗浄時は、永久磁石３２は洗浄槽１７から外れた状態で固定されている。そして、磁石ローラ２９と磁石でないローラ３０は外部の駆動装置（図示せず）により駆動されると、ポンプ等の加圧装置１９で噴射された粉体を含むお湯が、食器や、調理具の汚れを除去し、洗浄槽１７の底部に設けられた磁石装置２８に流れてくる。その時、磁性体の粉体は、磁石ローラ２９に吸引され、磁石でないローラ３０の位置に来た時にベルト３１から離れ、残滓を取り除くフィルタ３３の裏面を通って、再び加圧装置１９に導かれる。一方、残滓は磁性がないため磁石ローラ２９に吸引されずに、そのまま残滓を取り除くフィルタ３３に溜められる。
【００２５】
次に、すすぎの時は、永久磁石３２を洗浄槽１７側に移動することにより、ベルト３１から離れた永久磁石３２に吸引され、粉体の無いきれいなお湯ですすぎを行うことができるものである。
【００２６】
この時も、洗浄時に若干の洗剤が、粉体とともに含まれていても良く、更に洗浄効果を発揮するものである。
【００２７】
【発明の効果】
請求項１に記載した発明によれば、筐体に設けられた洗浄槽と、前記洗浄槽に設けたポンプ等の加圧装置と、前記加圧装置により加圧された水を噴射するノズルと、前記洗浄槽の底部に設けた残滓を取り除くフィルタと、前記洗浄槽に給水する給水弁と、前記洗浄槽に供給された水を加熱するヒータと、磁性体で構成された食器洗浄用の粉体を前記洗浄槽に供給する粉体供給装置と、前記洗浄槽の底部に設けた磁石装置と、前記洗浄槽に対して移動可能に設けた永久磁石とを備え、前記磁石装置は、磁石ローラと磁石でないローラに掛けられた非金属のベルトと、前記磁石ローラと磁石でないローラを駆動する駆動装置を有し、前記永久磁石は、前記洗浄槽から外れた位置に移動させて前記粉体を吸着しない状態と、前記洗浄槽側へ移動させて前記粉体を吸着する状態とに切換え可能に設け、洗浄時は、前記永久磁石を前記洗浄槽から外れた位置に固定し、前記ノズルから噴射され前記磁石装置に流れてきた粉体は、前記磁石ローラに吸引され前記ベルトにより前記磁石でないローラの位置まで運ばれて来たときに前記ベルトから外れ、前記フィルタの裏面を通り、前記フィルタを通らずに前記加圧装置に導かれるようにして循環し、すすぎ時は、前記永久磁石を前記洗浄槽側へ移動させ、前記磁石装置に流れてきた粉体が磁石でないローラの位置まで運ばれて来たとき、前記永久磁石により粉体が吸引され前記ベルトから離れて前記洗浄槽側に吸着させるようにしたから、大きな衝突エネルギーを得ることができ、簡単な構成で、洗剤の必要もなく食器、調理具の洗浄ができるとともに、粉体を繰り返し使用することができ、粉体の無いきれいなお湯ですすぎを行うことができる。
【図面の簡単な説明】
【図１】  本発明の実施例１における食器洗浄機の構成を示す断面図
【図２】  同実施例２と３における加圧装置、切り替え装置、加熱装置の構成を示す部分断面図
【図３】  同実施例５における食器洗浄機の構成を示す断面図
【図４】  同実施例６における食器洗浄機の構成を示す断面図
【図５】  同実施例７における食器洗浄機の構成を示す断面図
【図６】  同実施例８における食器洗浄機の磁石装置を示す部分断面図
【符号の説明】
１、１７  洗浄槽
３、１５、２０  ノズル
４  貯留装置
５、１９  加圧装置
１０  切り替え装置
１１  加熱装置
１２  発生装置
１４  噴出装置
２４  粉体供給装置
２６  洗浄・排水切り替え弁
２７  給水弁
２８  磁石装置
３３  フィルタ
【図１】
0004075163.tif 000002
【図２】
0004075163.tif 000003
【図３】
0004075163.tif 000004
【図４】
0004075163.tif 000005
【図５】
0004075163.tif 000006
【図６】
0004075163.tif 000007